(57)【要約】      （修正有）【課題】接続及び収容が容易なコンピュータケーブル装置１の提供。【解決手段】コンピュータ及びその周辺設備間に必要な接続の各種及び異なる規格のケーブルと電源線を単一の線体内に集成し、該線体の両端に各種の雄形コネクタと雌形コネクタを形成したコンピュータケーブル装置であり、その一端のコネクタがコンピュータ装置に、別端のコネクタがディスプレイ及びその周辺設備に接続されることで、その間に単一線体が現出し、簡潔で整然とし、美観の機能を有し、携帯と収納に便利としている。【選択図】図１
0003113681.tif 000002
【実用新案登録請求の範囲】
【請求項１】
複数のケーブルが集成されてなる単一線体の両端に各種の必要なコンピュータ及びコンピュータ周辺設備間の接続用のコネクタが設けられ、その一端のコネクタがコンピュータの背面の対応する電源入力コネクタ及び各種の異なる規格の信号入力、出力コネクタに接続され、もう一端のコネクタがディスプレイ及び各種のコンピュータ周辺設備のコネクタに接続され、
上述の設計により、コンピュータ用の異なる形式及び規格のケーブルの接続時の不便及び散乱による外観の悪さの問題を解決し、コンピュータ業者と消費者による携帯と収納に便利とされたことを特徴とする、接続及び収容が容易なコンピュータケーブル装置。
【請求項２】
請求項１記載の接続及び収容が容易なコンピュータケーブル装置において、配線ボックスが設けられ、該配線ボックスは、箱体と箱蓋を具え、箱体内の両側に複数の異なるサイズの挟持口を具えた挟持列が形成され、箱体の一側の中段に、箱体辺縁から箱体の中段横向き位置に至るように、各ケーブルの箱体への嵌め込みと組合せに供される切欠きが開設され、
以上の構造により、各ケーブル及び電源線が該切欠きより箱体内に嵌め込まれて箱体の中段位置にある切欠きの末端に嵌め込まれ、並びに対応するコネクタと接続された後に、ケーブルが対応する二列の挟持列の挟持口内に圧入されて挟持、位置決めされ、組合せ完成後に、箱蓋が閉じられ、接続完了したコネクタが配線ボックス内に収納され、美観を有しケーブルの交換、分離、接続に便利とされたことを特徴とする、接続及び収容が容易なコンピュータケーブル装置。
【請求項３】
請求項１記載の接続及び収容が容易なコンピュータケーブル装置において、コンピュータケーブル装置の両端のコネクタが、電源コネクタ、ＰＳ２コネクタ、ＵＳＢコネクタ、ＶＧＡコネクタ、ＣＯＭポートコネクタ、ネットワークコネクタ、スピーカコネクタ、マイクロホンコネクタ、電話コネクタ等の、雄形コネクタ及び雌形コネクタとされたことを特徴とする、接続及び収容が容易なコンピュータケーブル装置。
【請求項４】
請求項１記載の接続及び収容が容易なコンピュータケーブル装置において、コンピュータケーブル装置の両端の、各種の異なる形態、規格の雄形、雌形コネクタの種類及び数量は、実際の必要により増減可能であることを特徴とする、接続及び収容が容易なコンピュータケーブル装置。
【請求項５】
請求項１記載の接続及び収容が容易なコンピュータケーブル装置において、コンピュータケーブル装置の両端にあって、これらケーブル外部にスライド可能な伸縮スリーブが嵌合され、該伸縮スリーブを移動させることで、これらケーブルを集中的に結束或いは展開させられることを特徴とする、接続及び収容が容易なコンピュータケーブル装置。
【考案の詳細な説明】
【技術分野】
【０００１】
本考案は一種の接続及び収容が容易なコンピュータケーブル装置に関する。
【背景技術】
【０００２】
現在、テクノロジーの発達によりコンピュータ製品及びその周辺設備の買い換えの時間が大幅に短縮され、且つ新製品が不断に販売されている。過去にはコンピュータはコンピュータ本体、ディスプレイ、キーボード、プリンタ及びマウスのほかの配備はなかったが、情報製品の刷新と新たなコンピュータ周辺設備の発生により、現在、コンピュータに接続可能な情報製品には例えばＰＤＡのほか、スキャナ、ＰＣカメラ、スピーカ、マイクロホン及びその他の有線、無線の通信設備等がある。これらの多くの設備は既に現代人が常用する標準配備となっており、これらの製品を使用する大多数の人はいずれも、これら設備とコンピュータを接続して並びに正常に作業させる時に、それとコンピュータの間を相当多くのケーブルで接続しなければならず、これらのケーブルがコンピュータと各周辺設備間に散乱し、外観が悪くなり、また周辺設備及びコンピュータの増減或いは修理を行なう時に、ケーブルを抜き差しする時に識別しにくくなる、という問題を経験しているであろう。且つ大多数の人は卓上空間を大きくとるために、コンピュータをデスクの下の角部に置くが、このためにケーブルの抜き取り交換及び挿入接続時に、コンピュータをデスク下より引き出さねばならず、時にはケーブル長さが短過ぎてデスク下でしか操作が行なえない時もあり、これらいずれもコンピュータの組立及び修理上の問題を形成する。且つ、周知のコンピュータに使用されるケーブルの種類は非常に多く、コンピュータ業者でも消費者でもその携帯と収納は非常に不便であり、且ついずれかのケーブルを忘れて取りに戻らなければならないこともあり、相当に大きな問題を形成する。
【考案の開示】
【考案が解決しようとする課題】
【０００３】
本考案の主要な目的は、一種の接続及び収容が容易なコンピュータケーブル装置を提供することにあり、それは、単一線体の両端にコンピュータとその周辺設備間の接続に必要な各種及び異なる規格のケーブル及び電源線が必要とする各種の雄形コネクタ及び雌形コネクタが形成されて、一端のコネクタがコンピュータに、別端のコネクタがディスプレイ及びその周辺設備に接続されることにより、その間に僅かに単一線体のコンピュータケーブル装置のみが現出し、これにより簡潔で整然とし、美観の機能を達成し、並びに携帯と収納に便利であるものとする。
【０００４】
本考案の次の目的は、一種の接続及び収容が容易なコンピュータケーブル装置を提供することにあり、それは、上記単一線体のコンピュータケーブル装置の別端のコネクタとコンピュータ周辺設備のコネクタが接続された後に、配線ボックス内に内蔵され、且つ美観を有し、異なる信号線への交換、取り外しにさらに便利であるものとする。
【課題を解決するための手段】
【０００５】
請求項１の考案は、複数のケーブルが集成されてなる単一線体の両端に各種の必要なコンピュータ及びコンピュータ周辺設備間の接続用のコネクタが設けられ、その一端のコネクタがコンピュータの背面の対応する電源入力コネクタ及び各種の異なる規格の信号入力、出力コネクタに接続され、もう一端のコネクタがディスプレイ及び各種のコンピュータ周辺設備のコネクタに接続され、
上述の設計により、コンピュータ用の異なる形式及び規格のケーブルの接続時の不便及び散乱による外観の悪さの問題を解決し、コンピュータ業者と消費者による携帯と収納に便利とされたことを特徴とする、接続及び収容が容易なコンピュータケーブル装置としている。
請求項２の考案は、請求項１記載の接続及び収容が容易なコンピュータケーブル装置において、配線ボックスが設けられ、該配線ボックスは、箱体と箱蓋を具え、箱体内の両側に複数の異なるサイズの挟持口を具えた挟持列が形成され、箱体の一側の中段に、箱体辺縁から箱体の中段横向き位置に至るように、各ケーブルの箱体への嵌め込みと組合せに供される切欠きが開設され、
以上の構造により、各ケーブル及び電源線が該切欠きより箱体内に嵌め込まれて箱体の中段位置にある切欠きの末端に嵌め込まれ、並びに対応するコネクタと接続された後に、ケーブルが対応する二列の挟持列の挟持口内に圧入されて挟持、位置決めされ、組合せ完成後に、箱蓋が閉じられ、接続完了したコネクタが配線ボックス内に収納され、美観を有しケーブルの交換、分離、接続に便利とされたことを特徴とする、接続及び収容が容易なコンピュータケーブル装置としている。
請求項３の考案は、請求項１記載の接続及び収容が容易なコンピュータケーブル装置において、コンピュータケーブル装置の両端のコネクタが、電源コネクタ、ＰＳ２コネクタ、ＵＳＢコネクタ、ＶＧＡコネクタ、ＣＯＭポートコネクタ、ネットワークコネクタ、スピーカコネクタ、マイクロホンコネクタ、電話コネクタ等の、雄形コネクタ及び雌形コネクタとされたことを特徴とする、接続及び収容が容易なコンピュータケーブル装置としている。
請求項４の考案は、請求項１記載の接続及び収容が容易なコンピュータケーブル装置において、コンピュータケーブル装置の両端の、各種の異なる形態、規格の雄形、雌形コネクタの種類及び数量は、実際の必要により増減可能であることを特徴とする、接続及び収容が容易なコンピュータケーブル装置としている。
請求項５の考案は、請求項１記載の接続及び収容が容易なコンピュータケーブル装置において、コンピュータケーブル装置の両端にあって、これらケーブル外部にスライド可能な伸縮スリーブが嵌合され、該伸縮スリーブを移動させることで、これらケーブルを集中的に結束或いは展開させられることを特徴とする、接続及び収容が容易なコンピュータケーブル装置としている。
【考案の効果】
【０００６】
本考案は一種の接続及び収容が容易なコンピュータケーブル装置を提供し、それは、コンピュータ及びその周辺設備間に必要な接続の各種及び異なる規格のケーブルと電源線を単一の線体内に集成し、該線体の両端に各種の雄形コネクタと雌形コネクタを形成したコンピュータケーブル装置であり、その一端のコネクタがコンピュータ装置に、別端のコネクタがディスプレイ及びその周辺設備に接続されることで、その間に単一線体が現出し、簡潔で整然とし、美観の機能を有し、携帯と収納に便利としている。
【考案を実施するための最良の形態】
【０００７】
図１〜図３に示されるように、本考案は、両端に各種の必要なコネクタ例えば電源コネクタ１１、１１１、ＰＳ２コネクタ１４、１４１、ＵＳＢコネクタ１３、１３１、ＶＧＡコネクタ１２、１２１、ＣＯＭポートコネクタ１５、１５１、ネットワークコネクタ１８、１８１、スピーカコネクタ１６、１６１、マイクロホンコネクタ１７、１７１、電話コネクタ等の、雄形コネクタ及び雌形コネクタを具えたコンピュータケーブル装置１であって、その一端のコネクタがコンピュータ２の背面の対応する電源ソケット、及び各種の異なる規格の信号出力、入力ソケットと接続され、接続完成後に、コンピュータ２が定位に置かれ、並びにコンピュータケーブル装置１の別端のコネクタが必要な位置まで引き伸ばされて、この別端のコネクタが、ディスプレイ４及びコンピュータ周辺設備、例えばマウス６、ＰＤＡ７、キーボード３、スピーカ５、マイクロホン５１、ビデオカメラ及びスキャナ等に接続される。これにより、ディスプレイ４及び各コンピュータ周辺設備のコネクタをコンピュータ２背面の電源入力及び各ケーブル入力、出力ソケットに近づけて接続する必要がなく、且つ、周辺設備の増加或いは周辺設備交換時に、このコンピュータケーブル装置１と各周辺設備を接続するコネクタを差し込む或いは抜き取るだけでよく、コンピュータ２を移動させる必要がなく、従来の技術の、各種のコンピュータ用の異なる形式及び規格のケーブルの接続使用時の不便及び散乱して外観が悪くなる問題を排除でき、また、コンピュータ業者及び消費者に携帯及び収納上の便利さを提供する。このほか、コンピュータケーブル装置１の両端にあってこれらケーブル１９外部にスライド可能な伸縮スリーブ１９１が嵌合され、該伸縮スリーブ１９１を移動させることで、これらケーブル１９を集中的に結束或いは展開させることができる。且つ本考案のコンピュータケーブル装置１の両端の、各種の異なる形態、規格の雄形、雌形コネクタの種類及び数量は実際の必要により増減可能である。
【０００８】
図４に示されるように、本考案のコンピュータケーブル装置１とディスプレイ４及びコンピュータ周辺設備例えばマウス３、スピーカ５、マイクロホン５１、ビデオカメラ及びスキャナ等のコネクタとの接続時に、整然とし、美観を呈するようにするため、本考案は更に配線ボックス８の設計を包含する。該配線ボックス８は箱体８１と箱蓋８３を具え、箱体８１内の両側に複数の異なるサイズの挟持口８２１を具えた挟持列８２が形成され、箱体８１の一側の中段に、辺縁から箱体８１の中段横向き位置に至るように、各ケーブル１９の箱体８１への嵌め込みと組合せに供される切欠き８１１が開設されている。各ケーブル１９及び電源線は該切欠き８１１より嵌め込まれて箱体８１の中段位置にある末端に嵌め込まれ、並びに対応するコネクタと接続された後に、ケーブル１９が対応する二列の挟持列８２の挟持口８２１内に圧入されて挟持、位置決めされる。組合せ完成後に、箱蓋８３が閉じられ、接続完了したコネクタが配線ボックス８内に収納され、美観を有しケーブル１９の交換、分離、接続に更に便利とされる。
【０００９】
以上は本考案のコンピュータケーブル装置の両端の各種コネクタの実施例の説明に過ぎず、それに未提示のコンピュータ及びその周辺設備に使用される各種の異なる形態のコネクタであっても本考案の保護範囲に属する。
【００１０】
総合すると、本考案は周知の各種のコンピュータ用の異なる形式及び規格のケーブルの接続時の不便及び散乱して外観が悪い問題を解決し、またコンピュータ業者及び消費者による携帯及び収納にも便利である。
【図面の簡単な説明】
【００１１】
【図１】本考案の実施例の立体図である。
【図２】本考案の両端にスライド可能な伸縮スリーブを設けた実施例図である。
【図３】本考案がコンピュータと各周辺設備の接続に使用される時の実施例の立体図である。
【図４】本考案の、配線ボックスを組み合わせた実施例の立体図である。
【符号の説明】
【００１２】
１  コンピュータケーブル装置
１１、１１１  電源コネクタ
１２、１２１  ＶＧＡコネクタ
１３、１３１  ＵＳＢコネクタ
１４、１４１  ＰＳ２コネクタ
１５、１５１  ＣＯＭポートコネクタ
１６、１６１  スピーカコネクタ
１７、１７１  マイクロホンコネクタ
１８、１８１  ネットワークコネクタ
１９  ケーブル
１９１  伸縮スリーブ
２  コンピュータ
３  キーボード
４  ディスプレイ
５  スピーカ
５１  マイクロホン
６  マウス
７  ＰＤＡ
８  配線ボックス
８１  箱体
８１１  切欠き
８２  挟持列
８２１  挟持口
８３  箱蓋
【図１】
0003113681.tif 000003
【図２】
0003113681.tif 000004
【図３】
0003113681.tif 000005
【図４】
0003113681.tif 000006